(57)【要約】【課題】塩ビ鋼板などの導電部材を有する壁面にリモコン装置を取り付けると、リモコン装置の無線回路が出力する電波の周波数ずれや出力レベル低下などの現象が発生し、このリモコン装置から出力される電波を洗浄便座装置で受信できなくなる。【解決手段】壁面に着脱自在に取り付けられると共に、電波信号によって電子装置を制御することができるリモコン装置において、無線送信回路及び無線送信用アンテナを含む無線回路と、前記無線回路を収容すると共に、その前面には操作部が配置される筐体と、前記壁面取り付け時にこの壁面と対向する前記筐体の背面と前記無線回路との間で、かつ前記無線回路の近傍に配置される導電部材とを備えることとした。【選択図】図５
2006214680.tif 000002
【特許請求の範囲】
【請求項１】
壁面に着脱自在に取り付けられると共に、電波信号によって電子装置を制御することができるリモコン装置において、
無線送信回路及び無線送信用アンテナを含む無線回路と、
前記無線回路を収容すると共に、その前面には操作部が配置される筐体と、
前記壁面取り付け時にこの壁面と対向する前記筐体の背面と前記無線回路との間で、かつ前記無線回路の近傍に配置される導電部材とを備えたことを特徴とするリモコン装置。
【請求項２】
前記導電部材と前記無線回路間で発生する浮遊容量又は相互インダクタンスが前記無線回路に影響を与える範囲内を、前記無線回路の近傍とすることを特徴とする請求項１に記載のリモコン装置。
【請求項３】
前記導電部材に、前記無線回路の特性調整部位を調整するための開口部を設けたことを特徴とする請求項１又は請求項２に記載のリモコン装置。
【請求項４】
前記導電部材と前記筐体の背面との間に、第２の導電部材を設けたことを特徴とする請求項１〜３のいずれか１項に記載のリモコン装置。
【請求項５】
請求項１〜４のいずれか１項に記載のリモコン装置と、同リモコン装置の電波信号によって制御される電子装置からなるトイレ機器システム。
【請求項６】
請求項１〜４のいずれか１項に記載のリモコン装置と、同リモコン装置の電波信号によって制御される電子装置からなる浴室機器システム。
【発明の詳細な説明】
【技術分野】
【０００１】
リモコン装置、特に洗浄便座装置などの電子装置を電波信号によって制御するリモコン装置及びそれを用いるトイレ機器システムや浴室機器システムに関する。
【背景技術】
【０００２】
近年、トイレの便器には、その快適さから、洗浄機能、乾燥機能、脱臭機能などの各種機能を有する洗浄便座装置が取り付けられてきている。そして、このような洗浄便座装置の操作パネルに集約された操作ボタンを利用者が押下することによって、それらの機能が作動するようになっている。
【０００３】
この操作パネルは、従来、洗浄便座装置上に配置されるものが多かったが、最近は洗浄便座装置本体とは別にリモコン装置を設けられるものが主流となってきている。そして、利用者がこのリモコン装置上に配置された操作ボタンを操作することよって、リモコン装置からの制御信号が赤外線により洗浄便座装置本体へ送られ、その信号を受信した洗浄便座装置本体によって制御信号に応じた制御を行っている。
【０００４】
しかしながら、このようなリモコン装置においては、赤外線出力用のＬＥＤによって、赤外線による通信を行っていたため、その通信による消費電力が大きかった。
【０００５】
しかも、赤外線などの光を用いた通信においては、リモコン装置との向きとの関係や障害物の存在により通信ができない場合が発生するため、複数の赤外線出力用のＬＥＤを複数の方向に向けて配置しなければならず、それによってさらに消費電力が大きくなってしまうという問題があった。
【０００６】
したがって、容量の大きな電池を使わざるを得ず、リモコン装置を小さくすることが困難であった。
【０００７】
以上のような赤外線による通信の問題点を解決するために、電子機器を制御するリモコン装置において、電波を用いた無線通信を利用するものが提案されている（たとえば、特許文献１参照。）。
【０００８】
このような電波を用いた無線通信は、赤外線通信に比べて消費電力を低減することができ、しかも、リモコンの向きや障害物の存在を赤外線通信ほど考慮する必要がなくなるといった大きな利点がある。
【特許文献１】特開２００２−３５３９４３号公報
【発明の開示】
【発明が解決しようとする課題】
【０００９】
ところが、上述の特許文献１に記載されているような、電波を用いて無線通信するリモコン装置を洗浄便座装置などのトイレ機器システムに適用した場合、次のような問題が生じる。
【００１０】
洗浄便座装置のリモコン装置は、洗浄便座装置が設置された便器近辺の壁面に着脱自在に取り付けられるのが一般的であるが、洗浄便座装置が設置されるトイレブースによっては、その壁面を塩ビ鋼板としているものがある。例えば、ビジネスホテルなどのトイレ付きユニットバスなどである。
【００１１】
そして、このような塩ビ鋼板で形成された壁面にリモコン装置を取り付けると、リモコン装置が塩ビ鋼板に近接して配置されることになり、この壁面の鋼板とリモコン装置との間で浮遊容量や相互インダクタンスが発生する。
【００１２】
一般に、このような浮遊容量や相互インダクタンスは小さく、制御回路などには影響を与えることは少ない。
【００１３】
しかし、無線回路においては、比較的小さい値のコンデンサ素子やインダクタンス素子、又インピーダンスが高い部分などが存在することが多く、この浮遊容量や相互インダクタンスの影響が無視できないようになる。
【００１４】
すなわち、この浮遊容量や相互インダクタンスが、無線回路から発生する電波の周波数や強度（出力レベル）に大きな影響を及ぼすことになる。
【００１５】
そのため、塩ビ鋼板などの導電部材を有する壁面にリモコン装置を取り付けると、リモコン装置の無線回路が出力する電波の周波数ずれや出力レベル低下などの現象が発生し、このリモコン装置から出力される電波を洗浄便座装置側で受信できなくなるという問題が発生する。
【００１６】
このような問題の解決策として、リモコン装置を導電部材を有する壁面に設置した後に、その無線回路を調整する方法が考えられるものの、浮遊容量や相互インダクタンスの影響による電波の周波数ずれや出力レベル低下は、リモコン装置の設置環境、すなわちリモコン装置と導電部材との距離や、導電部材の種類などによって大きく異なるため、その調整は容易ではなく、煩雑でもある。
【００１７】
しかも、リモコン装置は壁面に取り付けられた状態で使用される以外に、壁面から取り外して使用される場合も多く、折角、リモコン装置を壁面に取り付けた状態で無線回路の調整を行っても、壁面から取り外されるとリモコン装置は浮遊容量や相互インダクタンスの影響から開放され、調整した電波の周波数や出力が変化してしまう。そのため、このリモコン装置から出力される電波を洗浄便座装置で受信できなくなったり、電波の出力レベルが規定値以上になったりすることになる。
【００１８】
そこで、本発明は、リモコン装置を取り付ける壁に上述のような導電部材が存在するか否かにかかわらず、その出力する電波の周波数やレベルを安定させたリモコン装置を提供することを目的とする。
【課題を解決するための手段】
【００１９】
そこで、上記問題を解決するために、請求項１に記載の発明は、壁面に着脱自在に取り付けられると共に、電波信号によって電子装置を制御することができるリモコン装置において、無線送信回路及び無線送信用アンテナを含む無線回路と、前記無線回路を収容すると共に、その前面には操作部が配置される筐体と、前記壁面取り付け時にこの壁面と対向する前記筐体の背面と前記無線回路との間で、かつ前記無線回路の近傍に配置される導電部材とを備えたことを特徴とする。
【００２０】
また、請求項２に記載の発明は、請求項１に記載の発明において、前記導電部材と前記無線回路間で発生する浮遊容量又は相互インダクタンスが前記無線回路に影響を与える範囲内を、前記無線回路の近傍とすることを特徴とする。
【００２１】
また、請求項３に記載の発明は、請求項１又は請求項２に記載の発明において、前記導電部材に、前記無線回路の特性調整部位を調整するための開口部を設けたことを特徴とする。
【００２２】
また、請求項４に記載の発明は、請求項１〜３のいずれか１項に記載の発明において、前記導電部材と前記筐体の背面との間に、第２の導電部材を設けたことを特徴とする。
【００２３】
また、請求項５に記載の発明は、請求項１〜４のいずれか１項に記載のリモコン装置と、同リモコン装置の電波信号によって制御される電子装置からなるトイレ機器システムであることを特徴とする。
【００２４】
また、請求項６に記載の発明は、請求項１〜４のいずれか１項に記載のリモコン装置と、同リモコン装置の電波信号によって制御される電子装置からなる浴室機器システムであることを特徴とする。
【発明の効果】
【００２５】
請求項１に記載の発明によれば、壁面に着脱自在に取り付けられると共に、電波信号によって電子装置を制御することができるリモコン装置において、無線送信回路及び無線送信用アンテナを含む無線回路と、前記無線回路を収容すると共に、その前面には操作部が配置される筐体と、前記壁面取り付け時にこの壁面と対向する前記筐体の背面と前記無線回路との間で、かつ前記無線回路の近傍に配置される導電部材とを備えたので、壁面の導電部材とリモコン装置との間で発生する浮遊容量や相互インダクタンスによる無線回路への影響を低減することが可能となる。したがって、導電部材が取り付けられた壁面に、リモコン装置を取り付けた場合にでも、その出力する電波の周波数や出力レベルの変化を抑えることができる。
【００２６】
また、請求項２に記載の発明によれば、前記導電部材と前記無線回路間で発生する浮遊容量又は相互インダクタンスが前記無線回路に影響を与える範囲内を、前記無線回路の近傍とするので、導電部材が取り付けられた壁面に、リモコン装置を取り付けた場合にでも、その出力する電波の周波数や出力レベルの変化を抑えることができると共に、外来ノイズによる影響を抑えることも可能となる。
【００２７】
また、請求項３に記載の発明によれば、前記導電部材に、前記無線回路の特性調整部位を調整するための開口部を設けたので、導電部材を取り付けた後に、この開口部から無線回路の調整が可能となり、作業性が向上する。
【００２８】
また、請求項４に記載の発明によれば、前記導電部材と前記筐体の背面との間に、第２の導電部材を設けたので、壁面の導電部材とリモコン装置との間で発生する浮遊容量や相互インダクタンスによる無線回路への影響を大幅に低減することが可能となる。
【００２９】
また、請求項５に記載の発明によれば、トイレ機器システムにおいて、壁面の導電部材とリモコン装置との間で発生する浮遊容量や相互インダクタンスによる無線回路への影響を低減することが可能となる。
【００３０】
また、請求項６に記載の発明によれば、浴室機器システムにおいて、壁面の導電部材とリモコン装置との間で発生する浮遊容量や相互インダクタンスによる無線回路への影響を低減することが可能となる。
【発明を実施するための最良の形態】
【００３１】
以下、本発明の実施の形態について、図面を参照しながら説明する。
【００３２】
図１は、トイレブースに設置された本発明の実施形態に係る洗浄便座装置及びそれを制御するリモコン装置からなる洗浄便座システムを示す図、図２は本発明の実施形態に係るリモコン装置の側面図、図３は本発明の実施形態に係るリモコン装置の構成ブロック図、図４は本発明の実施形態に係るリモコン装置の正面図である。
【００３３】
図１に示すように、本発明の実施形態における洗浄便座システムＳは、トイレブースに設置された洗浄便座装置１とリモコン装置２とから構成される。
【００３４】
洗浄便座装置１は、便器３上に設置され、各種機能を制御するための制御部等を有する洗浄便座装置本体４と、洗浄便座装置本体４に回動可能に連結された便座５と、同じく洗浄便座装置本体４に回動可能に連結された便蓋６とから構成される。
【００３５】
洗浄便座装置本体４は、洗浄機能、乾燥機能、脱臭機能、便座保温機能など各種機能を動作させる本体制御部（図示せず）を有し、さらにリモコン装置２から送信される電波信号を受信する受信アンテナ及び電波受信部とを備えている。
【００３６】
そして、リモコン装置２から電波として出力される制御信号（以下、「電波信号」とする。）を、受信アンテナを介して電波受信部で受信すると、本体制御部は、その電波信号に従った制御を行うようになっている。
【００３７】
一方、リモコン装置２は、図２に示すように、その筐体背面に設けられた係止部２１が、塩ビやポリエステル系樹脂を印刷又は張り合わせた鋼板等の導電部材を有するトイレブースの壁面１０に取り付けられたホルダ７の係止部７１とで係合することによって、壁面１０に着脱自在に取り付けられている。なお、ホルダ７を介して、壁面１０に取り付けるのではなく、係止部材（図示せず）を直接壁面１０に取り付け、この係止部材にリモコン装置２の係止部２１を係合させるようにしてもよい。
【００３８】
また、リモコン装置２は、図３に示すように、各種洗浄機能ボタン、乾燥ボタン、洗浄パワー制御ボタン、マッサージボタンなどの各種スイッチ部２２と、時刻や制御内容を表示するための表示部２３と、各種設定内容などを記憶する記憶部２４と、洗浄便座装置本体４へ制御信号を電波信号として送信する無線回路２５と、リモコン装置２全体の制御を統括する制御部２６とから構成される。
【００３９】
ここで、無線回路２５は、変調回路２７と、増幅回路２８と、送信用アンテナ２９等によって構成されている。なお、変調回路２７と増幅回路２８とをあわせて無線送信回路とする。
【００４０】
変調回路２７は、制御部２６から入力される制御信号を、内部の発振回路２７ａ（図示せず）にて発生した所定周波数信号（例えば、４４．５７ＭＨｚ）に基づき、周波数逓倍回路２７ｂにて周波数の逓倍化を行い、さらに内部の帯域フィルタ回路２７ｃ（図示せず）で所定の高次高調波成分（例えば、７次高調波成分の３１２ＭＨｚ帯域）のみを通過させる機能を有する回路である。
【００４１】
増幅回路２８は、変調回路２７から出力される信号の電力を増幅するとともに、後述する送信用アンテナ２９との整合回路２８ａ（図示せず）を有する回路である。
【００４２】
送信用アンテナ２９は、増幅回路２８から出力された増幅信号を電波信号として洗浄便座装置本体４へ出力するアンテナである。
【００４３】
なお、リモコン装置２の無線回路２５は、リモコン装置２の量産時に、その回路を構成する部品のばらつきから、出力する電波信号の周波数や出力レベルにばらつきが生じる。      
【００４４】
そこで、帯域フィルタ回路２７ｃや整合回路２８ａなどには、その電波信号の周波数や出力レベルを一定の範囲内に調整するために、それぞれトリマーコンデンサが設けられている。
【００４５】
また、リモコン装置２は、図４に示すように、略箱状の形状をしており、その筐体前面には、操作パネルとして各種スイッチ部２２や表示部２３などが設けられている。
【００４６】
このリモコン装置２の各種スイッチ部２２が、洗浄便座装置１の使用者によって操作されると、制御部２６がそれを検出し、操作されたスイッチ部２２のボタン種別に応じた制御信号を無線回路２５へ出力する。そして、無線回路２５がその制御信号を高周波変調信号へ変換し、送信用アンテナ２９によって、電波信号として洗浄便座装置本体４へ送信される。
【００４７】
以上のように構成されているリモコン装置２の内部構造につき、図面を参照しながら以下具体的に説明する。
【００４８】
図５は本発明の実施形態に係るリモコン装置の断面図（図４のＡ−Ａ断面図）、図６は本発明の実施形態に係るリモコン装置の背面図、図７は本発明の実施形態に係るリモコン装置の無線回路付近の背面図（図６のＢ領域）、図８は本発明の実施形態に係るリモコン装置の浮遊容量の説明図、図９は本発明の実施形態に係るリモコン装置の浮遊容量の説明図、図１０は本発明の実施形態に係るリモコン装置の背面図である。
【００４９】
リモコン装置２は、図５に示すように、ボタンや表示部が露出する開口部を有する前面カバー３１と壁面取り付け時に壁面と対向する背面カバー３２とからなる箱状の筐体３０と、その筐体３０内に配置され、前面カバー３１に取り付けられる基板３３等を備えている。
【００５０】
そして、この基板３３の表面側（前面カバー３１側）に、スイッチ部２２及び表示部２３が設けられており、又その裏面側（背面カバー３２側）には、ＲＯＭやＲＡＭなどの記憶部２４、無線回路２５、及び制御部２６が設けられている。
【００５１】
さらに、基板３３の裏面側には、無線回路２５を覆うように、無線回路２５と背面カバー３２との間に導電部材３４が取り付けられている。
【００５２】
図６及び図７には、リモコン装置２の背面カバー３２を取り外した状態でのリモコン装置の背面図が示されている。
【００５３】
この導電部材３４は、図８に示すように、無線回路２５の動作に影響を及ぼすような浮遊容量（Ｃ）や相互インダクタンスを、無線回路２５との間で発生させるように、無線回路２５の近傍に配置される。なお、導電部材３４と無線回路２５との距離はできるだけ近い方が望ましい。
【００５４】
そして、この導電部材３４は、基板３３裏面上に占める無線回路２５の面積と略同等又はそれ以上の面積を有し、無線回路２５を覆うように配置される。すなわち、無線回路２５と背面カバー３２とが対向する面に、その面をカバーする面積の導電部材３４が配置される。なお、無線回路２５を導電部材３４で密封若しくはそれに近い状態での覆い方をするようにしてもよい。
【００５５】
また、導電部材３４としては、アルミ、鉄、珪素鋼などの金属板が使用され、少なくともその一端部を電気回路のグランドに半田付け等により接続している。
【００５６】
ところで、このような浮遊容量や相互インダクタンスで特性に影響が生じる回路は、比較的小さい値のコンデンサ素子やインダクタンス素子があり、又インピーダンスの高い部分がある帯域フィルタ回路２７ｃ、整合回路２８ａ、送信用アンテナ２９などである。
【００５７】
たとえば、帯域フィルタ回路２７ｃに影響が生じるとフィルタリングする周波数がずれてしまい、その出力周波数や出力レベルも同様にずれる。また、整合回路２８ａに影響が生じると、送信用アンテナ２９との関係でインピーダンスがずれてしまい、その出力レベルが低下する等の影響がでてくる。
【００５８】
このように、浮遊容量や相互インダクタンスで特性に影響が生じる回路は、無線回路２５全体ではなく、その一部に過ぎない場合がある。
【００５９】
そこで、このような浮遊容量や相互インダクタンスによる影響がある部分のみ、すなわち、比較的小さい値のコンデンサ素子やインダクタンス素子、又インピーダンスの高い部分の近傍のみに導電部材３４を配置することで、導電部材３４の面積等を小さくすることができ、リモコン装置２の生産コストを抑えることが可能となる。
【００６０】
以上のように導電部材３４として、アルミや鉄などの金属板を例にして説明したが、基板３３の裏面側の無線回路２５部分（特に、浮遊容量や相互インダクタンスにより特性に影響が生じる回路）及びその近傍を導電（銀、銅等）ペーストすることによって、浮遊容量や相互インダクタンスを導電ペーストと無線回路２５との間で発生させるようにしてもよい。なお、この導電ペーストは、一箇所以上で回路のグランドへ接続されている。
【００６１】
また、銅箔を一面に配置にした基板（基板３３とは別基板）を導電部材３４として、無線回路２５を覆うように配置するようにしてもよい。
【００６２】
さらに、基板３３として多層基板を用い、複数の層のうちの一層をグランド層とし、このグランド層を導電部材３４とするようにしてもよい。このグランド層との距離が近接する層ほど、グランド層との浮遊容量や相互インダクタンスが大きくなる。したがって、このグランド層を、浮遊容量や相互インダクタンスで特性に影響が生じる部分の層の近傍とすることが望ましい。
【００６３】
ところで、リモコン装置２の無線回路２５の動作に影響を及ぼすような浮遊容量や相互インダクタンスが、無線回路２５との間で発生するように、導電部材３４を無線回路２５の近傍に配置させているため、無線回路２５の回路設計においては、このような浮遊容量や相互インダクタンスを考慮して、その内部の定数を決定する必要がある。
【００６４】
しかし、リモコン装置２の量産時には、導電部材３４の特性や、導電部材３４と無線回路２５との位置などにばらつきが発生する。
【００６５】
そこで、本実施形態のリモコン装置２の無線回路２５では、上述のように部品のばらつきのみならず、この浮遊容量や相互インダクタンスをも考慮したトリマーコンデンサ（ＶＣ１０１〜ＶＣ１０３）などの特性調整部位が設けられている。
【００６６】
しかも、図７に示すように、この導電部材３４には、このようなトリマーコンデンサＶＣ１０１〜ＶＣ１０３等の特性調整部位を調整するために、ドライバー等を通すための開口部３４ａ〜ｃが設けられており、したがって、導電部材３４を基板３３に取り付けた後に、この開口部から無線回路２５の調整が可能となり、作業性が向上する。
【００６７】
なお、背面カバー３２に、導電部材３４の開口部３４ａ〜ｃに対応する位置に開口部３２ａ〜ｃ（図示せず）を設けるようにしてもよい。このようにすれば、開口部３２ａ〜ｃ及び開口部３４ａ〜ｃを通じて、トリマーコンデンサＶＣ１０１〜ＶＣ１０３等の調整部品の調整を行うことができる。
【００６８】
以上のように構成されたリモコン装置２を、導電部材を有する壁面１０に取り付けた前後で、壁面１０の導電部材とリモコン装置２との間で発生する浮遊容量や相互インダクタンスによる無線回路２５への影響の変化は、大幅に圧縮される。
【００６９】
すなわち、導電部材３４は、壁面１０の導電部材と無線回路２５との間に設けられ、無線回路２５を覆うように無線回路２５の配置面積と同等以上の面積となっているため、壁面１０の導電部材と導電部材３４との間で浮遊容量や相互インダクタンスが発生する。一方、導電部材３４が無線回路２５を覆うように配置されているため、無線回路２５は壁面１０の導電部材との間で浮遊容量や相互インダクタンスの発生が大幅に低減される。
【００７０】
しかも、導電部材３４はグランド接地されているため、壁面１０の導電部材と導電部材３４との間で発生する浮遊容量や相互インダクタンスによる無線回路２５の出力へ影響が少ない。
【００７１】
したがって、導電部材を有する壁面１０にリモコン装置２を取り付ける前後における無線回路２５の出力（電波の周波数や出力レベル等）の変化を大幅に抑えることができる。
【００７２】
さらに、無線回路２５は、グランド接地された導電部材３４と容量結合することになるため、外部ノイズが無線回路２５へ輻射することによる影響を抑えることも可能となる。
【００７３】
特に、導電部材３４を無線回路２５の近傍へ配置することによって、容量結合の度合いを増すことによって、外部ノイズに対する耐力をアップさせることができる。
【００７４】
しかも、導電部材３４が基板の裏面側のみに設けられているため、無線回路２５から洗浄便座装置本体４に出力される電波への影響を最小限に抑えることができる。
【００７５】
このことは、基板３３の裏面側に導電ペーストを施した場合や多層基板の裏面側をグランド層とした場合も同様である。
【００７６】
さらに、リモコン装置２の背面カバー３２の内面（基板３３と対向する面）には、図５に示すように、さらに第２の導電部材４０が取り付けられている。
【００７７】
上述のように、リモコン装置２において、導電部材３４が取り付けられるが、電波信号を洗浄便座装置本体４へ送信しなければならないため、無線回路２５の底面（基板３３側）を導電部材３４によって覆うことができない。
【００７８】
そのため、無線回路２５と壁面１０の導電部材との間での浮遊容量や相互インダクタンスの発生を完全に遮断することができず、リモコン装置２を壁面１０に取り付けたときに、壁面１０の導電部材による影響が少なからず残る。
【００７９】
しかも、図９に示すように、無線回路２５の上面側（壁面１０側）に導電部材３４の大部分を設けたような場合、無線回路２５と壁面１０の導電部材との間で発生する浮遊容量（Ｃ´）や相互インダクタンスによる影響が大きくなってくる。
【００８０】
そこで、本実施形態のリモコン装置２においては、図５に示すように、導電部材３４に加え、さらに、この導電部材３４よりも壁面１０側に第２の導電部材を設けることによって、無線回路２５と壁面１０の導電部材との間の浮遊容量や相互インダクタンスの発生を抑制するようにしている。
【００８１】
この第２の導電部材４０は、アルミ、鉄、珪素鋼などの金属板によって形成されており、図１０に示すように、この無線回路２５（特に、送信用アンテナ）の配置面積と同等以上の面積を有しており、無線回路２５及びこの無線回路２５を実装した基板３３を覆うように背面カバー３２の内面の略全面に取り付けられる。なお、この第２の導電部材４０をリモコン回路のグランドに接地することが望ましいが、構造上グランドに接地しない方が簡易であり、単に背面カバー３２に取り付けるだけにしてもよい。
【００８２】
また、この第２の導電部材４０は、アルミ板等に代えて、背面カバー３２の内面に無電解めっきを施すようにしてもよく、背面カバー３２に導電性塗料を塗布したり、背面カバー３２自体を導電性プラスチックや金属製ハウジングとしてもよい。
【００８３】
このように、導電部材３４のほかに、この導電部材３４と壁面１０との間に、背面カバー３２に第２の導電部材４０を設けることによって、壁面１０の導電部材と無線回路２５との浮遊容量や相互インダクタンスの発生を低減することができ、導電部材３４による効果に加え、さらに送信用アンテナから出力される電波のレベルや周波数等を安定化することができる。
【００８４】
そのため、電波の出力レベルが規定されているような規格であっても、その対応が可能なリモコン装置を提供することができる。
【００８５】
なお、本発明の実施形態では、洗浄便座システムに使用するリモコン装置について具体的に説明したが、それに限られることなく、他の電子機器のリモコン装置においても適用することができる。
【００８６】
また、本発明の実施形態では、無線回路２５を基板３３の裏面に配置するようにしたが、基板３３の表面に配置するようにしてもよい。この場合、導電部材３４として、無線回路２５の配置面積と同等面積以上のグランド面を無線回路２５の裏面、すなわち基板３３の裏面に形成することとしてもよい。
【００８７】
また、本発明の実施形態では、導電部材３４と第２の導電部材４０との２つにより、無線回路の出力を安定させることとしたが、基板３３と背面カバー３２が近接しているような場合には、導電部材３４を兼ねた形で第２の導電部材４０を背面カバー３２に取り付けるようにしてもよい。たとえば、第２の導電部材４０を背面カバー３２に取り付けて、基板３３裏面上に配置された無線回路２５に隣接させると共に、第２の導電部材４０にグランド接続端子を設け、前面カバー３１に背面カバー３２を取り付けたときに、このグランド接続端子が基板上のグランドと接続されるような構造としてもよい。
【００８８】
また、本発明の実施形態においては、トイレ機器システムについて説明したがこれに限られず、リモコン装置によって遠隔的に制御できる電子機器であれば、浴室機器システムのようなものであっても構わない。
【００８９】
以下、本発明を浴室機器システムに適用した場合について、簡単に説明する。
【００９０】
図１１は、浴室に設置された本発明の実施形態に係る浴室乾燥機及びそれを制御するリモコン装置からなる浴室機器システムを示す図である。
【００９１】
浴室機器システムは、図１１に示すように、乾燥機本体１０１及び通風ダクト１０２などを有する浴室乾燥機１００と、この乾燥機本体１０１を制御するためのリモコン装置１２０とから構成される。
【００９２】
そして、リモコン装置１２０から乾燥機本体１０１を制御することによって、乾燥機本体１０１から乾燥風を吐出させ、物干し棒１１０に掛けられた衣服１１１を乾燥させる。
【００９３】
ここで、浴室の壁面１３０は、上述のトイレと同様、塩ビ鋼板など導電部材を有している。
【００９４】
したがって、図１１に示すように、リモコン装置１２０を浴室の壁面１３０に取り付けることによって、リモコン装置１２０と壁面１３０の導電部材との間で浮遊容量や相互インダクタンスが発生し、電波信号の強度や周波数に大きな影響を及ぼす。
【００９５】
このような場合であっても、この浴室機器システムのリモコン装置１２０を、上述したトイレ機器システムのリモコン装置２と同様に、導電部材３４や第２の導電部材４０を取り付けることによって、それらの影響を抑制することが可能となる。
【図面の簡単な説明】
【００９６】
【図１】トイレブースに設置された本発明の実施形態に係る洗浄便座装置及びそれを制御するリモコン装置からなる洗浄便座システムを示す図である。
【図２】本発明の実施形態に係るリモコン装置の側面図である。
【図３】本発明の実施形態に係るリモコン装置の無線回路のブロック構成図である。
【図４】本発明の実施形態に係るリモコン装置の正面図である。
【図５】本発明の実施形態に係るリモコン装置の断面図である。
【図６】本発明の実施形態に係るリモコン装置の背面図である。
【図７】本発明の実施形態に係るリモコン装置の無線回路付近の背面図のである。
【図８】本発明の実施形態に係るリモコン装置の浮遊容量の説明図である。
【図９】本発明の実施形態に係るリモコン装置の浮遊容量の説明図である。
【図１０】本発明の実施形態に係るリモコン装置の背面図である。
【図１１】浴室に設置された本発明の実施形態に係る浴室乾燥機及びそれを制御するリモコン装置からなる浴室機器システムを示す図である。
【符号の説明】
【００９７】
１  洗浄便座装置
２  リモコン装置
１０  壁面
２５  無線回路
３１  前面カバー
３２  背面カバー
３３  基板
３４  導電部材
４０  第２の導電部材
【図１】
2006214680.tif 000003
【図２】
2006214680.tif 000004
【図３】
2006214680.tif 000005
【図４】
2006214680.tif 000006
【図５】
2006214680.tif 000007
【図６】
2006214680.tif 000008
【図７】
2006214680.tif 000009
【図８】
2006214680.tif 000010
【図９】
2006214680.tif 000011
【図１０】
2006214680.tif 000012
【図１１】
2006214680.tif 000013
【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
便器に設置される洗浄機能部、乾燥機能部又は脱臭機能部を有する洗浄便座装置本体と、
前記洗浄便座装置本体の前記機能部を制御するための制御信号を高周波信号に変換する無線送信回路とこの高周波信号を電波信号として出力するアンテナとを有する無線回路を筐体内に備えたリモコン装置とからなり、
前記リモコン装置は塩ビ鋼板などの導電部材を有するトイレブース壁面へ取り付けられるトイレ機器システムにおいて、
前記リモコン装置は前面に操作部が配置されるとともに、前記筐体の背面と前記無線回路との間に配置される導電部材を備え、
前記リモコン装置の前記導電部材は、前記無線回路との間で発生する浮遊容量又は相互インダクタンスが前記無線回路から出力される前記電波信号の周波数に影響を与える範囲内にあることを特徴とするトイレ機器システム。
【請求項２】
前記リモコン装置の前記導電部材は、前記無線回路を覆うように前記無線回路の配置面積と同等以上の面積となっていることを特徴とする請求項１に記載のトイレ機器システム。
【請求項３】
前記リモコン装置の前記導電部材は、前記無線回路のグランドに接地されていることを特徴とする請求項１又は２に記載のトイレ機器システム。
【請求項４】
前記無線回路は、多層基板上に設けられるとともに、前記多層基板の、複数の層のうち一層をグランド層とし、このグランド層を前記リモコン装置の前記導電部材とすることを特徴とする請求項１〜３のいずれか１項に記載のトイレ機器システム。
【請求項５】
前記無線回路は、前記電波信号の周波数が調整可能な特性調整部位を有することを特徴とする請求項１〜４のいずれか１項に記載のトイレ機器システム。
【請求項６】
前記リモコン装置の前記導電部材に、前記無線回路の前記特性調整部位を調整するための開口部を設けたことを特徴とする請求項５に記載のトイレ機器システム。
【請求項７】
前記リモコン装置の前記導電部材と、前記筐体の背面との間に、第２の導電部材を設けたことを特徴とする請求項１〜６のいずれか一項に記載のトイレ機器システム。
【請求項８】
前記リモコン装置は、前記第２の導電部材として導電性塗料を内面に塗布した背面カバーを有することを特徴とする請求項７に記載のトイレ機器システム。
【手続補正３】
【補正対象書類名】明細書
【補正対象項目名】０００１
【補正方法】変更
【補正の内容】
【０００１】
トイレ機器システム、特に洗浄便座装置などの電子装置を電波信号によって制御するリモコン装置を用いるトイレ機器システムに関する。
【手続補正４】
【補正対象書類名】明細書
【補正対象項目名】００１９
【補正方法】変更
【補正の内容】
【００１９】
そこで、上記問題を解決するために、請求項１に記載の発明は、便器に設置される洗浄機能部、乾燥機能部又は脱臭機能部を有する洗浄便座装置本体と、前記洗浄便座装置本体の前記機能部を制御するための制御信号を高周波信号に変換する無線送信回路とこの高周波信号を電波信号として出力するアンテナとを有する無線回路を筐体内に備えたリモコン装置とからなり、前記リモコン装置は塩ビ鋼板などの導電部材を有するトイレブース壁面へ取り付けられるトイレ機器システムにおいて、前記リモコン装置は前面に操作部が配置されるとともに、前記筐体の背面と前記無線回路との間に配置される導電部材を備え、前記リモコン装置の前記導電部材は、前記無線回路との間で発生する浮遊容量又は相互インダクタンスが前記無線回路から出力される前記電波信号の周波数に影響を与える範囲内にあることを特徴とする。
【手続補正５】
【補正対象書類名】明細書
【補正対象項目名】００２０
【補正方法】変更
【補正の内容】
【００２０】
また、請求項２に記載の発明は、請求項１に記載の発明において、前記リモコン装置の前記導電部材は、前記無線回路を覆うように前記無線回路の配置面積と同等以上の面積となっていることを特徴とする。
【手続補正６】
【補正対象書類名】明細書
【補正対象項目名】００２１
【補正方法】変更
【補正の内容】
【００２１】
また、請求項３に記載の発明は、請求項１又は請求項２に記載の発明において、前記リモコン装置の前記導電部材は、前記無線回路のグランドに接地されていることを特徴とする。
【手続補正７】
【補正対象書類名】明細書
【補正対象項目名】００２２
【補正方法】変更
【補正の内容】
【００２２】
また、請求項４に記載の発明は、請求項１〜３のいずれか１項に記載の発明において、前記無線回路は、多層基板上に設けられるとともに、前記多層基板の、複数の層のうち一層をグランド層とし、このグランド層を前記リモコン装置の前記導電部材とすることを特徴とする。
【手続補正８】
【補正対象書類名】明細書
【補正対象項目名】００２３
【補正方法】変更
【補正の内容】
【００２３】
また、請求項５に記載の発明は、請求項１〜４のいずれか１項に記載の発明において、前記無線回路は、前記電波信号の周波数が調整可能な特性調整部位を有することを特徴とする。
また、請求項６に記載の発明は、請求項５に記載の発明において、前記リモコン装置の前記導電部材に、前記無線回路の前記特性調整部位を調整するための開口部を設けたことを特徴とする。
【手続補正９】
【補正対象書類名】明細書
【補正対象項目名】００２４
【補正方法】変更
【補正の内容】
【００２４】
また、請求項７に記載の発明は、請求項１〜６のいずれか１項に記載の発明において、前記リモコン装置の前記導電部材と、前記筐体の背面との間に、第２の導電部材を設けたことを特徴とする。
また、請求項８に記載の発明は、請求項７に記載の発明において、前記リモコン装置は、前記第２の導電部材として導電性塗料を内面に塗布した背面カバーを有することを特徴とする。
【手続補正１０】
【補正対象書類名】明細書
【補正対象項目名】００２５
【補正方法】変更
【補正の内容】
【００２５】
請求項１に記載の発明によれば、便器に設置される洗浄機能部、乾燥機能部又は脱臭機能部を有する洗浄便座装置本体と、前記洗浄便座装置本体の前記機能部を制御するための制御信号を高周波信号に変換する無線送信回路とこの高周波信号を電波信号として出力するアンテナとを有する無線回路を筐体内に備えたリモコン装置とからなり、前記リモコン装置は塩ビ鋼板などの導電部材を有するトイレブース壁面へ取り付けられるトイレ機器システムにおいて、前記リモコン装置は前面に操作部が配置されるとともに、前記筐体の背面と前記無線回路との間に配置される導電部材を備え、前記リモコン装置の前記導電部材は、前記無線回路との間で発生する浮遊容量又は相互インダクタンスが前記無線回路から出力される前記電波信号の周波数に影響を与える範囲内としたので、壁面の導電部材とリモコン装置との間で発生する浮遊容量や相互インダクタンスによる無線回路への影響を低減することが可能となる。したがって、導電部材が取り付けられた壁面に、リモコン装置を取り付けた場合にでも、その出力する電波の周波数や出力レベルの変化を抑えることができる。
【手続補正１１】
【補正対象書類名】明細書
【補正対象項目名】００２６
【補正方法】変更
【補正の内容】
【００２６】
また、請求項２に記載の発明によれば、リモコン装置の導電部材は、無線回路を覆うように前記無線回路の配置面積と同等以上の面積となっているので、無線回路は壁面の導電部材との間で浮遊容量や相互インダクタンスの発生が大幅に低減される。
【手続補正１２】
【補正対象書類名】明細書
【補正対象項目名】００２７
【補正方法】変更
【補正の内容】
【００２７】
また、請求項３に記載の発明によれば、リモコン装置の導電部材は、無線回路のグランドに接地されているので、壁面の導電部材と導電部材との間で発生する浮遊容量や相互インダクタンスによる無線回路の出力へ影響が少ない。したがって、導電部材を有する壁面にリモコン装置を取り付ける前後における無線回路の出力の変化を大幅に抑えることができる。
【手続補正１３】
【補正対象書類名】明細書
【補正対象項目名】００２８
【補正方法】変更
【補正の内容】
【００２８】
また、請求項４に記載の発明によれば、無線回路は、多層基板上に設けられるとともに、多層基板の、複数の層のうち一層をグランド層とし、このグランド層をリモコン装置の導電部材とするので、このグランド層を、浮遊容量や相互インダクタンスで特性に影響が生じる部分の層の近傍とすることにより、グランド層との浮遊容量や相互インダクタンスが大きくすることができる。
【手続補正１４】
【補正対象書類名】明細書
【補正対象項目名】００２９
【補正方法】変更
【補正の内容】
【００２９】
また、請求項５に記載の発明によれば、無線回路は、電波信号の周波数が調整可能な特性調整部位を有するので、部品のばらつきのみならず、この浮遊容量や相互インダクタンスをも考慮した調整が可能となる。
また、請求項６に記載の発明によれば、リモコン装置の導電部材に、無線回路の前記特性調整部位を調整するための開口部を設けたので、導電部材を取り付けた後に、この開口部から無線回路の調整が可能となり、作業性が向上する。
【手続補正１５】
【補正対象書類名】明細書
【補正対象項目名】００３０
【補正方法】変更
【補正の内容】
【００３０】
また、請求項７及び請求項８に記載の発明によれば、リモコン装置の前記導電部材と、筐体の背面との間に、第２の導電部材を設けたので、壁面の導電部材とリモコン装置との間で発生する浮遊容量や相互インダクタンスによる無線回路への影響を大幅に低減することが可能となる。